Podtech/llm-jp-corpus-v4-ja_patent huggingface dataset:
(57)【要約】【課題】  本発明は、ゲーム感覚でたくさん漢字を覚えて書けるようになり、学習することを目的とした、多面体の漢字サイコロに関するものである。【解決手段】  多面体を用いて、それぞれの面に漢字の部首・部首名、直角に交わる破線を記載し、ゲーム感覚で漢字の学習ができることを特徴とする漢字サイコロ【選択図】図１
2009291570.tif 000002
【特許請求の範囲】
【請求項１】
多面体を用いて、それぞれの面に漢字の部首・部首名、直角に交わる破線を記載し、ゲーム感覚で漢字の学習ができることを特徴とする漢字サイコロ
【発明の詳細な説明】
【技術分野】
【０００１】  本発明は、ゲーム感覚でたくさん漢字を覚えて書けるようになり、学習することを目的とした、多面体の漢字サイコロに関するものである。
【背景技術】
【０００２】  従来、サイコロは６面体の各面に点が打たれ、１から６まで示され、転がして乱数を発生させるゲームの道具として使う発明が知られている。
【特許文献１】特開２０００−１４９２２
【特許文献２】特開２０００−２４３０３
【特許文献２】特開２００６−３５２６１
【発明の開示】
【発明が解決しようとする課題】
【０００３】  そのために次のような問題点があった。
（イ）学習のための教材としては利用範囲が狭い。
（ロ）面が６つしかなく使い方が単調であり、サイコロそのものだけでは学習できない。
（ハ）形が単純であり、学習はできない。
本発明は以上の問題点を解決しようとするものである。
【課題を解決するための手段】
【０００４】  多面体を用いて、それぞれの面に漢字の部首・部首名を記載し、ゲーム感覚で漢字の学習ができることを特徴とする漢字サイコロ
【発明の効果】
【０００５】（イ）ゲーム感覚でたくさん漢字を覚えて書けるようになり、学習できる。
（ロ）多面体を用いることにより、漢字の部首数が増え、覚える漢字が増える。
（ハ）一人でも遊びながら学習できる。
【発明を実施するための最良の形態】
【０００６】  以下、本発明の実施の形態を説明する。多面体の一例として正五角形の正１２面体を用いて説明する。
（イ）正五角形からなる正１２面体の本体（１）の側面（２）・背面（３）の表面１２面すべてに平面（４）のように漢字の部首名（５）・部首（６）を記載する。
（ロ）平面（４）に破線（７）を設ける。
本発明は、以上のような構造よりなっている。
これを使用するときは、学校等ではチーム分けをし、家庭では親子で、転がして出た面（部首）を使った漢字を書き出し、たくさん書けた方が勝ち。という風にゲーム感覚で漢字をたくさん覚えて書けるようになる。これにより遊びながら学習し、友人間や親子で協調性・コミュニケーション能力を養う。一人でも遊びながら学習できる。
【図面の簡単な説明】
【０００７】
【図１】本発明の外観斜視図
【図２】本発明の実施例の分解平面拡大図
【符号の説明】
【０００８】      １  本体
２  側面
３  背面
４  平面
５  部首名
６  部首
７  破線
【図１】
2009291570.tif 000003
【図２】
2009291570.tif 000004
(57)【要約】      （修正有）【課題】穴あき・折りたたみ式により、用途・体勢に合わせた心地良い形状を自由に確保できるクッションを提供する。【解決手段】長時間座る時、介護の時等に、穴あき・折りたたみ式により、用途・体勢に合わせた心地良い形状を自由に確保できるクッション。【選択図】図１
2009291569.tif 000002
【特許請求の範囲】
【請求項１】
穴あき・折りたたみ式により、用途・体勢に合わせた心地良い形状を自由に確保できることを特徴とするクッション
【発明の詳細な説明】
【技術分野】
【０００１】  本発明は、穴あき・折りたたみ式により、用途・体勢に合わせた心地良い形状を自由に確保できるクッションに関するものである。
【背景技術】
【０００２】  従来、穴あきクッションは小さめの穴で、用途が限られた円座の発明が知られている。
【特許文献１】特開２００２−３２５６５６
【特許文献２】特開２００２−２５３３９５
【特許文献２】特開２０００−３５４５２６
【発明の開示】
【発明が解決しようとする課題】
【０００３】  そのために次のような問題点があった。
（イ）用途が限られており、利用範囲が狭い。
（ロ）体勢に形状を合わせることはできない。
本発明は以上の問題点を解決しようとするものである。
【課題を解決するための手段】
【０００４】  多穴あき・折りたたみ式により、用途・体勢に合わせた心地良い形状を自由に確保できることを特徴とするクッション
【発明の効果】
【０００５】（イ）用途・体勢に合わせた心地良い形状を自由に確保できる。
（ロ）形状が変わるので、利用範囲が広い。
（ハ）人間・ペットの介護用としても使える。
（ニ）患部（傷口・床擦れ）の重圧・摩擦の緩和、予防、早期快復に最適である。
（ホ）疲労の緩和、リラックス効果を得られる。
（ヘ）立体的な形状になり、体圧分散（多くの点で支える）が可能である。
【発明を実施するための最良の形態】
【０００６】  以下、本発明の実施の形態を説明する。
（イ）本体（１）の側面（２）にマチ部（３）を設ける。
（ロ）本体（１）に大きめの穴（４）を設ける。
（ハ）マチ部（３）は充填物無部（７）と充填物有部（８）でなっている。
（ニ）充填物無部（７）と充填物有部（８）の間に縫合部（５）を設ける
本発明は、以上のような構造よりなっている。
これを使用する時は、長時間座る時・介護の時等に用途・体勢に合わせてマチ部（３）を心地良い形状に自由に調整することで、頭・首・腰・お尻・足への負担を緩和させることができる。これにより、患部の早期快復・疲労の予防・リラックス効果が得られる。
【図面の簡単な説明】
【０００７】
【図１】本発明の斜視図
【図２】本発明の分解拡大図
【図３】本発明の使用状態を示す斜視図  （ａ）はマチ部を折りたたんだ第一段階図  （ｂ）はマチ部を折りたたんだ第二段階図  （ｃ）はマチ部を折りたたんだ第三段階図  （ｄ）はマチ部を折りたたんだ第四段階図
【符号の説明】
【０００８】１  本体
２  側面
３  マチ部
４  穴
５  縫合部
６  周縁部
７  充填物無部
８  充填物有部
【図１】
2009291569.tif 000003
【図２】
2009291569.tif 000004
【図３】
2009291569.tif 000005
(57)【要約】【課題】  健康の維持のための、どこででも手軽にリズムを刻むことのできるクリッカー【解決手段】  片手に握りやすい形状の湾曲した薄い鋼（１）を、安全性確保のための伸縮性素材（２）でおおったことを特徴とする。【選択図】図１
2009291566.tif 000002
【特許請求の範囲】
【請求項１】
片手に握りやすい形状の湾曲した薄い鋼（１）を、安全性確保のための伸縮性素材（２）でおおった、どこででも手軽にリズムを刻むことのできるクリッカー
【発明の詳細な説明】
【技術分野】
【０００１】  この発明は、片手に握りやすい形状の湾曲した薄い鋼（１）を、安全性確保のための伸縮性素材（２）でおおったクリッカーに関するものである。
【背景技術】
【０００２】  人の健康の維持には、リズム感のある生活を送ることが重要であるといわれているが、日常生活で、それを容易に実現することは困難であった。
【発明の開示】
【発明が解決しようとする課題】
【０００３】  従来、人がリズム感を産出・体感するためには、楽器を鳴らしたり、身体を大きく動かしたり等をし、その実現のためには、手にかさばる物をもったり、時間や場所の制限もあった。本発明は、その制限を大幅に緩和するためになされたものである。
【課題を解決するための手段】
【０００４】  片手に握りやすい形状の湾曲した薄い鋼（１）を、安全性確保のために伸縮性素材（２）でおおう。本発明は、以上の構成よりなる、どこででも手軽にリズムを刻むことのできるクリッカーである。
【発明の効果】
【０００５】  本発明により、公衆内にいる時や静けさが求められる場面にいる時などでも、時間や場所の制限を受けずに、リズム感を産出、体感することが可能である。
【発明を実施するための最良の形態】
【０００６】  以下、本発明を実施するための最良の形態について説明する。
片手に握りやすい形状の湾曲した薄い鋼（１）を、安全性確保のために伸縮性素材（２）でおおう。本発明は、以上のような構造で、これを使用するときは、操作しやすいように片手に握り、軽く曲げるように力を加えてリズムを刻めばよい。バネの効果により、凹部側から力を加えると、明瞭なクリック音と手先への感覚を産出・体感することができ、一方、凸部側から力を加えると、クリック音を消して、手先への感覚だけを産出・体感することができる。
【図面の簡単な説明】
【０００７】
【図１】  本発明の分解斜視図である。
【符号の説明】
【０００８】  １  片手に握りやすい形状の湾曲した薄い鋼
２  伸縮性素材
【図１】
2009291566.tif 000003
(57)【要約】      （修正有）【課題】会話音レベルの大きさの音について、聞こえるのか聞こえないのかを容易に自分で測り知ることができる聴力チェック用の測定装置を提供する。【解決手段】音源に５００〜２，０００Ｈｚの連続震音発生器１と出力レベル設定器２を備え、スピーカ６からＳＰＬレベルの６０ｄＢの音とＳＰＬ８０ｄＢの音が発生できる２つの出力スイッチ３、４を備えたことを特徴とする聴力チェック用装置。【選択図】図１
2009291585.tif 000002
【特許請求の範囲】
【請求項１】
音源に５００〜２，０００Ｈｚの連続震音発生器を備え、スピーカによる出力音圧レベルをＳＰＬ６０ｄＢの会話音の小さめな音と通常の会話音では大きめな音ＳＰＬ８０ｄＢの音を発生できる２つの出力スイッチ備えた聴力チェック用装置。
【発明の詳細な説明】
【技術分野】
【０００１】本発明は聴力チェック用の装置に関するものである
【背景技術】
【０００２】従来の聴力検査は純音オージオメータＪＩＳ  Ｔ１２０１により規定された個々の純音周波数について聴力レベルＨＬ（Ｈｅａｒｉｎｇ  Ｌｅｖｅｌ）５ｄＢステップで断続器を併用して最小可聴閾値を求める検査であった。
【発明の開示】
【発明が解決しようとする課題】
【０００３】聴力の検査は従来からＪＩＳに規定の１２５，２５０，５００，１０００，２０００，４０００，８０００Ｈｚの純音で、必要な周波数ごとに規定の気導受話器を用い、ＨＬ５ｄＢステップで最小可聴閾値検査が検者によって行われているが、この検査は最小可聴閾値検査であり、通常の会話で言葉が聞こえるか否かについては検者にも分からない検査であった。
本発明は会話音レベルの大きさの音について、聞こえるのか聞こえないのかを容易に自分で測り知ることができる聴力チェック用の測定装置である。
【課題を解決するための手段】
【０００４】音源を会話音の成分の主たる帯域５００〜２，０００Ｈｚ又は５００〜４，０００Ｈｚの連続震音（Ｗａｒｂｌｅ  Ｔｏｎｅ）とし（以降５００〜２，０００Ｈｚと記す）、スピーカによる音場検査とした。検査音のレベルはＳＰＬレベル（Ｓｏｕｎｄ  Ｐｒｅｓｓｕｒｅ  ｌｅｖｅｌ）とした。ＳＰＬ６０ｄＢと８０ｄＢの２つの大きさの音を発生できる２つのスイッチからなる構成としたことを特徴とする聴力チェック用装置である。
【発明の効果】
【０００５】検査音を５００〜２，０００Ｈｚの連続震音で、スピーカによる音の強さを通常会話音の小さめの音に相当するＳＰＬ６０ｄＢ程度の音と通常の会話音の大きめの音に相当するＳＰＬ８０ｄＢ程度音の２つに設定したため、自分の聞こえが通常の会話音が良く聞こえるか否かを容易に自分で測って知ることができる。
【発明を実施するための最良の形態】
【０００６】以下、本発明の実施の例について図１本発明の構成図を用いて説明する。
１は変調度１０％で５００Ｈｚ〜２、０００Ｈｚをスイープ時間４秒で連続して発振し、０．５秒間停止の繰り返しの震音発生器である。
２は出力レベル設定機、３は６０ｄＢ音出力スイッチ、４は８０ｄＢ音出力スイッ５はパワーアンプ、６はスピーカである。
スピーカによる検査は周囲の騒音の影響を受けるので騒がしい所での検査は困難であるが、騒音の程度により出力レベルをそれぞれ±１０ｄＢ程度の変更で使用可とすることが出来る。
本発明は図１に示す構成であり、検者を必要とせず、自分で自分の聞こえを容易にはかり知ることができる新しい方式の検査器である。
【図面の簡単な説明】
【０００７】
【図１】  本発明の構成図
【符号の説明】
【０００８】１      連続震音発生器
２      出力レベル設定器
３      ６０ｄＢ音出力スイッチ
４      ８０ｄＢ音出力スイッチ
５      パワーアンプ
６      スピーカ
【図１】
2009291585.tif 000003
(57)【要約】【課題】  フライパンの重さと中の材料の重さとで、大量に振れなかった。【解決手段】  レンジ等に置くようにしたカバー１にアーム２を設けバネを吊り下げる。そのバネの下部に回転盤４を取り付ける。フライパンの柄を手前として奥の方に鍵状の凸部の金具を取り付ける。回転盤４の穴に鍵状の凸部を、噛み合せ回転盤を回転させバネの弾性によりフライパンの振る操作をする。【選択図】図１
2009291581.tif 000002
【特許請求の範囲】
【請求項１】
フライパンの柄を手前として向う側のフライパンの重心の位置に、鍵状の凸部の金具を設ける。
【請求項２】
レンジ等に置くようにしたカバー１にアーム２を設ける、アームより吊るしたバネ３の下部に回転盤４を取り付ける。
【請求項３】
前記のバネの下部の回転盤の凹部の穴に、請求項１フライパンの凸部の金具を噛み合せ、取り付け、取り外せるようにする。
【発明の詳細な説明】
【技術分野】
【０００１】  特願２００５−１０６７２３  特願２００５−２０２２２５  特願２００６−９２２６９  特願２００６−１６０２５５を改良出願し直すものです。本発明は炒め物を作る時掻き回すフライパンの装置である。
【背景技術】
【０００２】  従来、各職種において掻き回す道具は数多くあったが、フライパンは、油汚れ、高温と悪条件が重なり常に手入れの必要なもので、掻き回す装置があると却って邪魔になることがあった。そのため改良されず現在も手で振る操作で炒め物をしていた。
【発明の開示】
【発明が解決しようとする課題】
【０００３】  フライパンを振るということは、フライパンの重さと中の材料の重さとで、焼きめし、スパゲッティー、焼きそば、などはフライパンでは大量に作れなかった。この掻き回し操作を、アーム上のバネの弾性で回転盤を回転させて、解決するものである。
【課題を解決するための手段】
【０００４】  図１のカバー１を把っ手６でレンジに固定する。図２のフライパンの柄を手前として奥に鍵状の凸部を取り付ける。その凸部５を図１のアーム２に吊るした引きバネ３の下部に取り付けた回転盤４の凹部の穴８に噛み合せる。【０００５】  回転盤はアーム２の柱にアームより吊るしたバネ３の下部に柱を心棒に回転盤を二つ手前と、向う側に、取り付ける。向う側の回転盤はバネを取り付け、手前の回転盤に、穴を設ける。カバーは、図２のフライパンを入れ移動出来るようにする。
【発明の効果】
【０００６】  本発明により、今までフライパンとフライパンの中の材料の重さが人の腕にかかっていたが、吊るされた状態のバネと回転盤の効果により向こう側を持って動かしたように楽にフライパンを振ることが出来る。カバーは把っ手がありフライパンとセットで移動出来るので便利である。フライパンの柄を向こう側に動かすとバネの弾性で、また回転盤の回転によりフライパンの中の材料を回転させて、楽に掻き回すことが出来る。
【発明を実施するための最良の形態】
【０００７】  フライパンの柄を手前として向う側のフライパンの重心の位置に、鍵状の凸部の金具を設ける。レンジ等に置くようにしたカバー１にアーム２を設ける。アームより吊るしたバネ３の下部の二つの回転盤は連結して同一に動くように取り付ける。
【産業上の利用可能性】
【０００８】  バネの弾性をモーター回転で電動式のフライパンにすることが出来るようになり、モーター式の場合は自動的に掻き回すことが出来るので容易である。
【図面の簡単な説明】
【０００９】
【図１】  カバーとアームの斜視図である。
【図２】  フライパンの斜視図である。
【図３】  アーム部分の裏面図である。
【符号の説明】
【００１０】  １．  カバー
２．  アーム
３．  引きバネ
４．  回転盤
５．  鍵状の凸部
６．  カバーの把っ手
７．  フライパンの柄
８．  凹部の穴
９．  フライパンの柄を固定する金具
１０．  バネ回転輪固定金具
【図１】
2009291581.tif 000003
【図２】
2009291581.tif 000004
【図３】
2009291581.tif 000005
(57)【要約】【課題】衣類などに付着したペットなどの脱け毛、糸くず、埃を除去しそのまま折り重ねて棄てる事が出来る使い棄て塵除去用材を提供する。【解決手段】用紙の大部分に粘着剤をつけて、ペットなどの脱け毛、糸くず、埃を除去しそのまま折り重ねて棄てる事が出来る使い棄て塵除去用材。【選択図】図２
2009291587.tif 000002
【特許請求の範囲】
【請求項１】
用紙の大部分に粘着剤をつけて、ペットなどの脱毛、糸くず、埃を除去しそのまま折り重ねて棄てる事が出来る使い棄て塵除去用材。
【発明の詳細な説明】
【技術分野】
【０００１】  本発明は、衣類などに付着したペットなどの脱け毛、糸くず、埃を除去しそのまま折り重ねて棄てる事が出来る使い棄て塵除去用材に関するものである。
【背景技術】
【０００２】  従来、衣類などに付着したペットなどの脱け毛、糸くず、埃を除去するには、ガムテープやエチケットブラシを使用していた。
【発明の開示】
【発明が解決しようとする課題】
【０００３】  従来より、次の門題点があった。
（イ）衣類に付着したペットの脱け手、糸くず、埃を除去する時にエチケットブラシを使用すると、コンパクトであるが方向を間違えるとかえって汚してしまう事があるしきれいにとれない事が多い。
（ロ）ガムテープで除去する場合は、切りとって使用するので手間がかかり、持ち歩くにはスペースをとるし重さがあり不便だった。
本発明は以上の問題点を解決しようとするものである。
【課題を解決するための手段】
【０００４】  用紙の大部分に粘着剤をつけて、ペットなどの脱け毛、糸くず、埃を除去しそのまま折り重ねて棄てる事が出来る塵除去用材である。【０００５】  本発明は、コンパクトなので外出時にも手軽に持ち運びが出来て、又切りとるわずらわしさもなく、満足いくまできれいにペットなどの脱け毛、糸くず、埃を除去出来る。
【発明を実施するための最良の形態】
【０００６】  以下、本発明の実施の形態を説明する。
（イ）用紙の粘着面（１）に粘着剤をつける。
（ロ）粘着剤のついてないつまみ部分（２）は、用紙をつまんではがす時に使用する。
（ハ）複数回以上使用出来る様に用紙を積み重ねて、セットしておく。
本発明を使用する時は、粘着剤のついてないつまみ部分（２）をつまんではがし、粘着面（１）を衣類に何度かふれる事でペットなどの脱け手、糸くず、埃を除去出来る。
【図面の簡単な説明】
【０００７】
【図１】  本発明の斜視図
【図２】  本発明を一定量セットした斜視図
【符号の説明】
【０００８】  １  粘着面
２  つまみ部分
【図１】
2009291587.tif 000003
【図２】
2009291587.tif 000004
(57)【要約】【課題】  自然物を顆粒体又は粉体に加工したものを、品質を損ねないように均一に攪拌混合する抗菌防黴効果を有する消臭剤の製造方法を提供する。【解決手段】  顆粒状に砕いた天然ゼオライト鉱石８５％にイオン状態で安定的に保持させた銀と三次元骨格構造を持つ粉状のゼオライト２％を加え、次にユーカリ香油を含侵させて満遍なく均一に混合攪拌することを特徴とする抗菌防黴効果を有する消臭剤の製造方法。【特許請求の範囲】
顆粒状に砕いた天然ゼオライト鉱石にイオン状態で安定的に保持させた銀と三次元骨格構造を持つ粉状のゼオライトを加え、次にユーカリ香油を含侵させた後満遍なく均一に混合攪拌することを特徴とする抗菌防黴効果を有する消臭剤の製造方法。
【発明の詳細な説明】
【技術分野】
【０００１】  本発明は悪臭の除去や細菌、黴等の発生防止及び除去に優れた効果を発揮する抗菌、防黴効果に加え、吸湿、芳香効果を有する消臭剤の製造方法に関するものである。
【背景技術】
【０００２】  従来、抗菌剤、防黴剤、消臭剤は各種提供されており、近代生活には欠くことのできないものとして広く利用され、抗菌剤、防黴剤は夫々別途に提供されているか又は両者を混合した下記文献のようなものが提供されているが、抗菌剤、防黴剤、消臭剤の三種を混合したものは提供されていない。
【特許文献】  特開２００１−２８８０２０号公報
【特許文献】  特開２００６−２３２７１５号公報
【発明の開示】
【発明が解決しようとする課題】
【０００３】  しかし、従来提供されている抗菌剤、防黴剤等の類は多くの化学物質が含まれているため、均一且つ綿密に攪拌混合する必要があり、更にその製造工程が複雑であるために製品の管理も重要な課題であった。
本発明は自然物を顆粒体又は粉体に加工したものを、品質を損ねないように均一に攪拌混合することにょって抗菌防黴効果を有する消臭剤の製造方法を提供することを目的とする。
【課題を解決するための手段】
【０００４】  上記目的を達成するため本発明は、顆粒状に砕いた天然ゼオライト鉱石８５％にイオン状態で安定的に保持させた銀と三次元骨格構造を持つ粉状のゼオライト３％を加え、次にユーカリ香油３％、グリセリン１０％を含侵させた後、満遍なく均一に混合攪拌することによって完成する抗菌防黴効果を有する消臭剤の製造方法である、
【発明の効果】
【０００５】  上記のような方法によって製造される抗菌防黴効果を有する消臭剤には次のような効果がある。
ａ．天然のゼオライト鉱石である沸石には三次元骨格（編目）構造を有しており、気体や湿気を吸収する性質があるので黴を防ぐ優れた効果があり、本発明によって製造される抗菌防黴効果を有する消臭剤全体の８５％占めている。
ｂ．銀のゼオライトには抗菌防黴と共に脱臭効果があるので生活環境の中のあらゆる分野で利用できる。
ｃ．ユーカリ香油はダニ等の忌避効果があるばかりでなく、浄菌効果があることも知られていいる。
ｄ．グリセリンはユーカリ香油のバインダーとしてゼオライトに吸着され、悪臭に代り清潔感のある香りを徐々に発散させる効果がある。
【発明を実施するための最良の形態】
【０００６】  以下、本発明の実施の形態について説明する。
第１工程
天然ゼオライト鉱石を顆粒状に粉砕分粒する。
第２工程
前記顆粒状に粉砕された天然ゼオライト鉱石の中に、イオン状態を安定的に保持さ    せた銀と三次元骨格構造を持つ粉体のゼオライトを加える。
第３工程
前記第２工程の中にユーカリ香油をグリセリンと混合させ、顆粒状の天然ゼオライ    トに吸着させる。
第４工程
前記三工程が終了した後、手動又は機械的手段によって混合物が満遍なく均一に混    合されるように所定時間攪拌する。
上記のような方法によって製造された抗菌防黴効果を有す消臭剤の混合比率は次のようになる。
顆粒状に粉砕分粒した天然ゼオライト鉱石                  ８５％
銀と三次元骨格構造を持つ粉体のゼオライト                  ２％
ユーカリ香油                                              ３％
グリセリン                                              １０％
上記のような方法によって製造された抗菌防黴効果を有する消臭剤を使用する場合は次のようになる。
１．抗菌防黴効果を有する消臭剤を電気掃除機の中に３０グラム程度の量を吸引させることによって掃除機内が常に抗菌防臭消臭の効果が保たれる。
２．抗菌防黴効果を有する消臭剤を、粉体が漏出しない程度の通気性を有する袋又は容器に入れて洋服タンス、衣装箱等の中に置くと箱内の菌の増殖を押さえ、黴の発生を防ぐことができる。
３．その他、トイレ、台所、玄関、寝室等に通気性の袋又は容器に入れた抗菌防黴効果を有する消臭剤を設置しておくことによって常に屋内は清潔に保たれ、衛生的に快適な生活を送ることができる。
(57)【要約】【課題】  本発明は、ゲーム感覚でたくさん漢字を覚えて書けるようになり、学習することを目的とした、漢字トランプに関するものである。【解決手段】  カードを用いて、それぞれの面に漢字の部首・部首名、直角に交わる破線を記載し、ゲーム感覚で漢字の学習ができることを特徴とする漢字トランプ【選択図】図１
2009291571.tif 000002
【特許請求の範囲】
【請求項１】
カードを用いて、それぞれの面に漢字の部首・部首名、直角に交わる破線を記載し、ゲーム感覚で漢字の学習ができることを特徴とする漢字トランプ
【発明の詳細な説明】
【技術分野】
【０００１】  本発明は、ゲーム感覚でたくさん漢字を覚えて書けるようになり、学習することを目的とした、漢字トランプに関するものである。
【背景技術】
【０００２】  従来、トランプは各面に４種類の模様と１から１３までの数字・ジョーカーが示され、ゲームの道具として使う発明等が知られている。
【特許文献１】特開２００５−２３０４８３
【特許文献２】特開２００５−１０３２３１
【特許文献２】特開２００５−６２７８９
【発明の開示】
【発明が解決しようとする課題】
【０００３】  そのために次のような問題点があった。
（イ）学習のための教材としては利用範囲が狭い。
（ロ）トランプそのものだけでは学習できない。
本発明は以上の問題点を解決しようとするものである。
【課題を解決するための手段】
【０００４】  それぞれの面に漢字の部首・部首名を記載し、ゲーム感覚で漢字の学習ができることを特徴とする漢字トランプ
【発明の効果】
【０００５】（イ）ゲーム感覚でたくさん漢字を覚えて書けるようになり、学習できる。
（ロ）カード式を用いることにより、漢字の部首数が増え、覚える漢字が増える。
（ハ）一人でも遊びながら学習できる。
【発明を実施するための最良の形態】
【０００６】  以下、本発明の実施の形態を説明する。
（イ）数枚からなるトランプ式カードの本体（１）に平面（３）のような漢字の部首名（４）・部首（５）を記載する。
（ロ）平面（３）に破線（６）を設ける。
本発明は、以上のような構造よりなっている。
これを使用するときは、学校等ではチーム分けをし、家庭では親子で、引き当てたカードの面（部首）を使った漢字を書き出し、たくさん書けた方が勝ち。という風にゲーム感覚で漢字をたくさん覚えて書けるようになる。これにより遊びながら学習し、友人間や親子で協調性・コミュニケーション能力を養う。一人でも遊びながら学習できる。
【図面の簡単な説明】
【０００７】
【図１】本発明の外観斜視図
【図２】本発明の実施例の分解平面拡大図
【符号の説明】
【０００８】    １  本体
２  側面
３  平面
４  部首名
５  部首
６  破線
【図１】
2009291571.tif 000003
【図２】
2009291571.tif 000004
(57)【要約】      （修正有）【課題】脱毛したい部分に、毛抜きを軽くあて、前へ押したり，引いたりするだけで、簡単に脱毛することが出来る毛抜きを提供する。【解決手段】片方先端部分１に付いているピン１１，１２に、抗菌加工されたゴムバンド１３を付け、ねじれを何度も入れながら、もう片方の先端部分８に付いているピン９，１０につなげたことを特徴とした毛抜き。【選択図】図１
2009291573.tif 000002
【特許請求の範囲】
【請求項１】
片方先端部分に、付いているピンに抗菌加工されたゴムバンドを、付けねじれを、何度も入れながらもう片方の先端部分に付いているピンにつなげた形成を特徴とした毛抜き。
【請求項２】
握り部分を、握ると先端部分が、開き緩めると閉じる形成を特徴としている。
【請求項３】
握り部分、両側片方ずつに、マジックテープオス，メスを付け両側を結ぶことにより，先端部分の幅を固定することが出来る。
【請求項４】
約中心部分から，先端部分にかけて角度を自在に，変えることが出来る。
【請求項５】
ゴムバンドは，抗菌加工した物である。
【発明の詳細な説明】
【技術分野】
【０００１】本発明は、毛抜きで、抗菌加工されたゴムバンドのゴムとゴムの間に毛が、挟まり毛がゴムに、巻き込み脱毛することが出来る。
【背景技術】
【０００２】一般的に、知られている毛抜きは、毛を一本一本つまみながら毛を抜いていくのが普通である。
【発明の開示】
【発明が解決しようとしている課題】
【０００３】従来の毛抜きでは、毛を一本一本確認しながら、毛を抜いていく為、大変に時間が、かかります。
【課題を解決するための手段】
【０００４】本発明の毛抜きを  脱毛したい部分に、軽くあて前え押したり手前に引いたりするだけで、簡単に脱毛することが出来ます。
【０００５】中心部分から、先端部分にかけて上え９０度以上、下え９０度以上曲がるためいろいろな体の部分に角度を、あわせ脱毛することができます。
【図面の簡単な説明】
【図１】本発明の全体部分の平面図である
【図２】全体部分の平面図で、握り部分の後方部に、ついているマジックテープを端と端を結び、前方部分の開きを、固定しています。
【図３】本発明の側面図である
【図４】側面図で、脱毛する体の部分に、あわせ角度を、変えた状態。
【符号の説明】
１  右、先端部分
２  ナット
３  右  握り部分
４  マジックテープ、オス
５  左、握り部分
６  マジックテープ  メス
７  ナット
８  左、先端部分
９  ゴムバンドを、止めるフック
１０  ゴムバンドを、止めるフック
１１  ゴムバンドを、止めるフック
１２  ゴムバンドを、止めるフック
１３  抗菌加工された、ゴムバンド
１４  ７につながっている、ボルト
１５  ２につながっている、ボルト
【図１】
2009291573.tif 000003
【図２】
2009291573.tif 000004
【図３】
2009291573.tif 000005
【図４】
2009291573.tif 000006
(57)【要約】【課題】歯ブラシでブラッシングをするときに手の力が直接歯ブラシに加わり、歯の表面や歯肉を損傷することが多かったので、歯ブラシの加圧力を軽減させるバネ式歯ブラシを提供する。【解決手段】把手の上部に直線状のバネを設け、バネの上部に着脱部を設け、着脱部の上端に凹状の受け部を設け、ブラシ部を有する頭部の下端に差し込み片を設け、差し込み片を受け部に差込自在とするバネ式歯ブラシ。【選択図】図１
2009291578.tif 000002
【特許請求の範囲】
【請求項１】
把手の上部に直線状のバネを設け、バネの上部に着脱部を設け、着脱部の上端に凹状の受け部を設け、ブラシ部を有する頭部の下端に差し込み片を設け、差し込み片を受け部に差込自在とするバネ式歯ブラシ。
【発明の詳細な説明】
【技術分野】
【０００１】  本発明は、ブラッシングをするときに、手に加わる力を歯ブラシに直接伝達させない様に加圧力を軽減させるバネ式歯ブラシである。
【背景技術】
【０００２】  従来の歯ブラシは、把手の上方に首部を介して頭部が樹脂等により直線状に一体してあり、頭部にブラシ部が設けられているため、手の加圧力が歯ブラシに直接伝わりやすい。
【発明の開示】
【発明が解決しようとする課題】
【０００３】  そのために次のような問題があった。
歯ブラシでブラッシングするときに歯や歯肉に手の力が伝わり強く加圧するために、歯ブラシの毛先で歯の表面や歯肉を損傷することが多かった。
【課題を解決するための手段】
【０００４】  把手の上部に直線状のバネを設け、バネの上部に着脱部を設ける。着脱部の上端に凹状の受け部を設け、ブラシ部を有する頭部の下端に差し込み片を設け、差し込み片を受け部に差込自在とする。本発明は以上の構成よりなりブラシ部を把手に一体化して使用するバネ式歯ブラシである。
【発明の効果】
【０００５】  本発明は、歯ブラシに手の力を加えても、バネによって歯ブラシの毛先が当たるときの加圧力が減圧されるため、歯の表面や歯肉の損傷を軽減させることが出来る。
【発明を実施するための最良の形態】
【０００６】  以下、本発明の実施の形態を説明する。
（イ）棒状の把手（１）の上部に螺旋状のバネ（２）を設ける。
（ロ）バネ（２）の先端に、着脱部（３）を設け、着脱部（３）の先端に、凹状の受け部（４）を設ける。
（ハ）ブラシ部（７）を有する頭部（６）の下端に突出状の差し込み片（５）を設ける。
（ニ）受け部（４）に差し込み片（６）を着脱自在に挿入する。
本発明は以上のような構成よりなり、これを使用するときは、頭部（６）の差し込み片（５）を受け部（４）に装着し一体化させ、一本の歯ブラシとする。
【図面の簡単な説明】
【０００７】
【図１】本発明の側面図
【図２】本発明の正面図
【図３】本発明の要部拡大断面図
【符号の説明】
【０００８】  １  把手
２  バネ
３  着脱部
４  受け部
５  差し込み片
６  頭部
７  ブラシ
【図１】
2009291578.tif 000003
【図２】
2009291578.tif 000004
【図３】
2009291578.tif 000005
(57)【要約】【課題】従来より使用している研磨パッドは、ベロアの実質厚みが同一のもので、遊星歯車式研磨装置でのキャリヤは、自転及び公転の円運動をおこなうため、キャリヤの内周部と外周部との周速差により１枚のワーク内での面粗度や平行・平面度の精度差が出てしまう【解決手段】研磨パッドをドーナツ状の形状としベロアの実質厚みを変化させることにより、ワークの外周部と内周部での研磨面の面粗さのバラツキの減少、平行・平坦度等の精度の均一性が図られ生産効率の向上を達成する。【選択図】  図１
2009160716.tif 000002
【特許請求の範囲】
【請求項１】
加工物を研磨加工する研磨パッドであって、研磨装置の研磨プレートに貼り付けて用いられるベロア様研磨パッドで、ドーナツ状のポリエステルフィルムを裏面に積層してベロア部分の実質的な厚みを変化させて形成されている研磨パッド。
【請求項２】
ドーナツ状帯のベロア部分の実質的な厚み差が隣同士で１０〜５０％変化させた請求項１記載の研磨パッド。
【請求項３】
ドーナツ状の帯が２〜５本形成させた請求項１記載の研磨パッド。
【発明の詳細な説明】
【技術分野】
【０００１】
本発明は、シリコン、ガリュウム砒素等の半導体や、ガラス、金属等の種々の基板の鏡面研磨加工を行う研磨装置に使用される研磨パッドに関する。
【背景技術】
【０００２】
従来よりガラス板、シリコンウエハ等を研磨する遊星歯車式平面研磨装置によれば、上プレート、下プレート、キャリヤ、太陽歯車及び内歯車を備える。上プレート及び下プレート加工面には、ポリウレタン樹脂を含浸させた不織布であるベロアタイプ研磨布を両面粘着テープを介して貼り付け使用する。
【０００３】
また研磨パッドの性能改善の為に研磨布、又は研磨パッドの研磨作用面を再研磨して表面状態を改質することや、表面に機械的加工により溝をつけるとか、長気孔を多数有するパッドすることが行われている。
【特許文献１】特開平１１−７７５１８
【特許文献２】特開平１１−２８５９６３
【特許文献３】特開２０００−４２９０１
【発明の開示】
【発明が解決しようとする課題】
【０００４】
研磨対象物をバッチ式で研磨する遊星歯車式平面研磨装置の場合、キャリヤに装着して数十枚を同時研磨加工している。研磨面の繊細化、平行・平坦度等の１キャリヤのバッチ内での精度の均一性及び、研磨対象物の直径が３００mmから４５０mmに達するとものまでありそれらの面内の精度の均一性が近年求められているが、従来のパッドでの加工後のワークは、キャリヤ外周部と内周部でのワーク及び大きい径のワークの中心部と外周部との面粗度や平行・平面度の精度差が出てしまう。
【０００５】
本発明は、ワーク研磨加工後のより高精度化の要求に対応し、その改良と生産工程の短縮化を目的とした研磨パッドを提供するものである。
【課題を解決するための手段】
【０００６】
上記の課題を解決するために本発明は、研磨プレートに貼り付けて用いられるベロア様パッドで、ドーナツ状帯のベロア部分の実質的な厚みの差が隣同士で１０〜１５％変化させ、ドーナツの帯が２〜５本形成させた研磨パッドを提供する。
【発明の効果】
【０００７】
研磨パッドは、ニードルパンチされたポリエステルウエブに湿式凝固法にてポリウレタン樹脂を含浸、凝固、水洗、乾燥し所定の厚みにサンディング機にて研磨しあげしベロアシートを作成する。
【０００８】
枚葉カットされたベロアシートの片面にポリエステルフィルムをドーナツ状に抜き加工したフィルムを貼り付け、更にその面に両面テープを貼り付ける。その後ベロア面をサンデング機にて均一厚みに仕上げる。研磨仕上することによって、ポリエステルフィルムの厚み分がベロア面を薄くさせる。この原理により、ドーナツ状にベロア部分の実質的な厚みを変化させ形成されている研磨パッド、ドーナツ状帯のベロア部分の実質的な厚みの差が隣どうし１０〜５０％変化、ドーナツ状の帯が２〜５本形成させた研磨パッドが対象となる。
【０００９】
本発明に使用されるベロアは、ニードルパンチ等されたポリエステル繊維等のウエブに合成ゴム、ポリウレタン等の樹脂を含浸させた公知のものが利用できる。湿式凝固法で製造されたポリウレタンの微細発砲ベロアが好ましいものである。ポリウレタンとしては、ポリエステル系ポリウレタン、ポリエーテル系ポリウレタン、ポリカーボ系ポリウレタン単独又は混合して用い公知の湿式製法にて製造できる。ウレタン層に顔料等種々の添加剤を混合できる。
【００１０】
更にスウェードタイプの研磨布は、通常は不織布の裏面に両面テープを貼り付け研磨機に装着して使用される。
【発明を実施するための最良の形態】
【００１１】
３．３デシテックス、繊維長５０mmのポリエステル繊維ウエブにニードルパンチングを施し、厚み１．７mm、見かけ密度０．１３ｇcm2、ウレ重さ２７０ｇcm2の繊維シートを作成した。次いで、固形分３０％のポリエステルポリウレタン樹脂１００部、略称ＤＭＦと呼ばれるジメチルホルムアミドの１０％水溶液凝固層に進入して凝固、戦場、乾燥しベルトサンダー機にて両面を研磨し、厚み１．２ｍｍのベロアを得た。
【００１２】
本発明では、前述のベロアを１３００mm角に裁断して、片面に粘着剤のついた総厚み２３０μmのポリエステルフィルムを内径５００mmにカットしたベロアの片面に中心を合わせて貼り付け、更に心材に1８８μmポリエステルフィルムを使用したアクリル系両面テープをその面に重ねて貼り付けた。その後研磨機にて♯１２０のペーパーを使用してベロア面より２８０μm研削した。得られたベロアタイプ研磨布のベロアの実質厚みは、内側より１．１５、０．９２、１．１５mmであった。更に１２００mmφにトムソンで抜き、１枚物の研磨パッドが得られた。
また得られたパッドは、穴あけ、溝きり加工等を通常通り実施できる。
【００１３】
本発明の研磨パッドを遊星歯車式平面研磨装置に装着して、４インチのシリコンウエーハの仕上研磨を１バッチ１００枚で１０バッチ加工し。
結果として、面粗度や平行・平面度のバラツキが少なく、再加工率が本発明の研磨パッドを使用していない装置と比較して２０％減少し、工程短縮化が達成できた。
【図面の簡単な説明】
【００１４】
【図１】本発明の研磨パットの層断面図である。
【図２】本発明の実施の形態の一例を示し、研磨パッドを研磨プレートに貼り付けワークとキャリアーとの状態真上から見た説明図である
【図３】本発明の研磨パッドを研磨プレートに貼り付けた断面図である。
【符号の説明】
【００１５】
１０    研磨プレート
１１    ワーク
１２    キャリヤ
１３    研磨パッド
１４    ポリエステルフィルム
１５    両面テープ
【図１】
2009160716.tif 000003
【図２】
2009160716.tif 000004
【図３】
2009160716.tif 000005
(57)【要約】【課題】生態情報の計測の信頼性が低下することを防止する。【解決手段】血圧計本体３は、最初に使用されてから現在までの使用回数に関する情報を記憶する記憶部１１と、記憶部１１に記憶されている使用回数が所定の閾値以上になったか否かを判別し、記憶部１１に記憶されている使用回数が所定の閾値以上になったと判別した場合、生体情報の計測処理を中止させる制御部１０を備える。【選択図】図２
2009160104.tif 000002
【特許請求の範囲】
【請求項１】
生体情報を計測する生体情報計測装置において、
最初に使用されてから現在までの使用回数又は使用時間に関する情報を記憶する記憶手段と、
前記記憶手段に記憶されている使用回数又は使用時間が所定の閾値以上になったか否かを判別し、使用回数又は使用時間が所定の閾値以上になった場合、前記生体情報の計測処理を中止させる制御手段と
を備えることを生体情報計測装置。
【請求項２】
請求項１に記載の生体情報計測装置において、
前記記憶手段に記憶されている使用回数又は使用時間が前記所定の閾値から所定の数値範囲内に達した場合、使用回数又は使用時間が所定の閾値に近付いていることを報知する報知手段を備えることを特徴とする生体情報計測装置。
【発明の詳細な説明】
【技術分野】
【０００１】
本発明は、血圧計や体組成計等の生体情報計測装置に関する。
【背景技術】
【０００２】
一般に、血圧計や体組成計等の生体情報計測装置は、構成部品の経年劣化のために永久的に使用できるものではない。このため生体情報計測装置には、生体情報の計測値の信頼性を維持可能な耐用使用回数や耐用年数がある。
【特許文献１】特開2003-299626号公報
【発明の開示】
【発明が解決しようとする課題】
【０００３】
従来の生体情報計測装置では、使用回数や使用年数が耐用使用回数や耐用年数を超えたか否かの判断はユーザ自身に委ねられているために、耐用使用回数や耐用年数を超えて過度に使用されることにより、生体情報の計測が正確に行われず、信頼性が低下することがある。
【０００４】
本発明は、上記課題を解決するためになされたものであり、その目的は、生体情報の計測値の信頼性が低下することを防止可能な生体情報計測装置を提供することにある。
【課題を解決するための手段】
【０００５】
本発明に係る生体情報計測装置の特徴は、最初に使用されてから現在までの使用回数又は使用時間が所定の閾値以上になった場合、生体情報の計測処理を中止することにある。
【発明の効果】
【０００６】
本発明に係る生体情報計測装置によれば、生体情報の計測値の信頼性が低下することを防止できる。
【発明を実施するための最良の形態】
【０００７】
本発明は、例えば血圧計や体組成計等の生体情報計測装置に適用することができる。以下、本発明の一実施形態となる血圧計の構成及び動作について説明する。
【０００８】
本発明の一実施形態となる血圧計１は、図１に示すように、阻血用カフ帯２と血圧計本体３とを一体化したものである。血圧計本体３は、樹脂成形品の本体ケースの内部に図示しないポンプ，切換弁，制御部，電源電池等を内蔵し、ユーザによる開始／操作ボタン４の操作に応じてポンプからユーザの手首に巻かれた阻血用カフ帯２にエアーを供給して最低・最高血圧を測定し、血圧測定値を血圧計本体３内の記憶部に記憶すると共に表示部６に表示する。そして血圧測定が完了すると、血圧計本体３は阻血用カフ帯２からエアーを排気して測定待機状態になる。またユーザは記憶／呼出ボタン５を操作することにより記憶部に記憶されている以前の血圧測定結果を呼び出して表示部６に表示させることもできる。なおこのような動作を可能にするための阻血用カフ帯２及び血圧計本体３の構成は本願発明の出願時点で既に公知であるのでその説明は省略する。
【０００９】
本実施形態では、血圧計本体３は、制御系として、血圧計１全体の動作を制御する制御部１０と、血圧の測定結果や血圧計１の使用（測定）回数を記憶する記憶部１１と、血圧計１の使用（測定）回数を計数する測定回数計数部１２を備える。そしてこの血圧計１では、制御系が以下に説明するように動作することにより血圧測定の信頼性が低下することを防止する。すなわちこの血圧計１では、測定回数計数部１２が、血圧計１が使用される（血圧測定が行われる）度毎にプログラムカウンタを１増数することにより最初に使用されてから現在までの使用回数を計数し、計数された使用回数を記憶部１１に保存する。そして制御部１０は、記憶部１１に記憶されている使用回数が所定の閾値（例えば１万回や３万回）以上になったか否かを判別し、使用回数が所定の閾値以上になったタイミングで以後の血圧測定ができないように血圧の測定処理を中止させる。
【００１０】
このような構成によれば、血圧計１が耐用使用回数（所定の閾値）を超えて過度に使用されることを防止できるので、血圧測定の信頼性が低下することを防止できる。なお血圧計１の耐用使用回数が近付いていることをユーザに通知するために、制御部１０は、記憶部１１に記憶されている使用回数が所定の閾値から所定の数値範囲内（例えば１００回や５００回）に達した場合、例えば図３に示すように使用回数が所定の閾値（この例では１００回）に近付いている旨のメッセージを表示部６に表示することが望ましい。また本実施形態では、測定回数計数部１２は、最初に使用されてから現在までの使用回数を計数するとしたが、最初に使用されてから現在までの使用時間を計数し、耐用使用時間（例えば３年間や５年間）に基づいて上記のような判別処理を行っても良い。
【００１１】
以上、本発明者らによってなされた発明を適用した実施の形態について説明したが、この実施の形態による本発明の開示の一部をなす記述及び図面により本発明は限定されることはない。すなわち、本実施形態に基づいて当業者等によりなされる他の実施の形態、実施例及び運用技術等は全て本発明の範疇に含まれる。
【図面の簡単な説明】
【００１２】
【図１】本発明の一実施形態となる血圧計の構成を示す斜視図である。
【図２】図１に示す血圧計の制御系の構成を示す機能ブロック図である。
【図３】使用回数が所定の閾値に近付いていることをユーザに通知するための画面表示例である。
【符号の説明】
【００１３】
１：血圧計
２：阻血用カフ帯
３：血圧計本体
４：開始／操作ボタン
５：記憶／呼出ボタン
６：表示部
１０：表示部
１１：記憶部
１２：測定回数計数部
【図１】
2009160104.tif 000003
【図２】
2009160104.tif 000004
【図３】
2009160104.tif 000005
(57)【要約】【課題】  スプーンやフォーク等のカトラリーの作用部を、別途独自に手配した木製などの柄に自在に取り付けることができるようにしたカトラリーを提供する。【解決手段】  スプーンやフォーク等の作用部に繋がる首部に、柄に螺着するためのねじ部を設けたことを特徴とするカトラリーである。【選択図】図１
2009160199.tif 000002
【特許請求の範囲】
【請求項１】
スプーン、フォーク等のカトラリーで、作用部に繋がる首部に、柄に螺着するためのねじ込み形状のねじ部を設けたことを特徴とするカトラリー。
【発明の詳細な説明】
【技術分野】
【０００１】    本発明は、柄部に取り付けるカトラリーの作用部に関するものである。
【背景技術】
【０００２】    従来、スプーンやフォーク等のカトラリーは、作用部と柄部は一体となって作られたものが提供されている。
【発明の開示】
【発明が解決しようとする課題】
【０００３】    スプーンやフォーク等のカトラリーは、洋食器として単なる道具として利用するだけでなく、食卓を飾り食事を楽しむためのいろいろなデザインが工夫されているが、使用者が独自のデザインを楽しむ余地が無い。
【課題を解決するための手段】
【０００４】    スプーンやフォーク等のカトラリーの作用部に繋がる首部に、柄に螺着するための木ねじやタッピングネジなどにあるねじ込み形状のねじ部を設けたことを特徴とする。
【発明の効果】
【０００５】    別途独自に手配した木製などの柄に、カトラリーの作用部をねじ込み式に自在に取り付けることが可能となり、また着脱も容易で取替えもでき、オリジナルのデザインの柄を持ったカトラリーが提供できる。【０００６】    また、柄に螺着するにあたり、ねじ部が木ねじやタッピングネジなど一般的なねじの形状を有することで、特別な工具を必要とせず、作用部を指でつまみ、一方に持った柄にねじ込むだけで簡単に取り付けることができる。
【発明を実施するための最良の形態】
【０００７】    次に、図面に基づき本発明を実施するための形態を説明する。図１は本発明の実施形態に係るねじ込み式カトラリーの全体斜視図である。１はカトラリーの作用部で首部２に繋がり、それらと一体となったのねじ部３で構成する。素材はカトラリーに通常用いられているステンレス鋼が最も適しているが、ねじ部の強度を考慮した上で他の金属材料を用いてもよい。
本発明は以上の構造でこれを使用するときは、作用部１を指でつまみ、柄１１にねじ部３をねじ込んで取り付ける。【０００８】    図２は、実施例として、柄にねじ込んだ状態の断面図である。
【図面の簡単な説明】
【０００９】
【図１】  この発明のねじ込み式カトラリーの、スプーンを例とした全体斜視図である。
【図２】  ねじ込み式カトラリーの実施例を示す断面図である。
【符号の説明】
【００１０】  １・・・作用部
２・・・首部
３・・・ねじ部
１１・・柄
【図１】
2009160199.tif 000003
【図２】
2009160199.tif 000004
(57)【要約】      （修正有）【課題】増加している二酸化炭素ガスのなかでかなりの排出量がある排ガス中の二酸化炭素にターゲットをしぼり、二酸化炭素を吸収分解し有用な物質を生成する方法を提供する。【解決手段】二酸化炭素を吸収する物質としてアンモニア溶液を使用し、霧状で二酸化炭素に接触させ、吸収反応させて炭酸アンモニウム水溶液を生成した後、該炭酸アンモニウム水溶液の温度を上げることにより有用物質である尿素を得る。安定な物質である二酸化炭素を吸収分解し、有用な物質を生成するとともに大気中の二酸化炭素そのものを減少させることができる。【選択図】図１
2009160565.tif 000002
【特許請求の範囲】
【請求項１】
排ガス中に含まれる二酸化炭素にアンモニアの水溶液を霧状の状態で接触させ吸収反応させると炭酸アンモニウム（（ＮＨ４）２ＣＯ３が生成する。
【請求項２】
この炭酸アンモニウム（（ＮＨ４）２ＣＯ３は温度を上げると直接尿素ＣＯ（ＮＨ２）２の結晶が得られる。
反応式は  （（ＮＨ４）２ＣＯ３  →  ＣＯ（ＮＨ２）２＋２Ｈ２Ｏ
【請求項３】
回収されたガス中には二酸化炭素のほか、亜硫酸ガス、一酸化炭素および水蒸気等を含む。これらは硫酸塩（ＮＨ４）２ＳＯ４，塩化物ＮＨ４Ｃｌ，硝酸塩ＮＨ４ＮＯ３が生成されるが、これらは水溶性のためろ過装置をつけて分離する。
【発明の詳細な説明】
【発明の詳細な説明】
【技術分野】
【０００１】  本発明は、主として二酸化炭素を排出している中大規模の排ガスを対象に二酸化炭素の化学的除去を目的としている。
【背景技術】
【０００２】  二酸化炭素は非常に安定な化合物でありなかなか除去が難しいため、現在まで植物による光合成や、二酸化炭素を炭酸カリ水溶液による吸収等が一部行われている。
【発明が解決しようとする課題】
【０００３】  安定な化合物である二酸化炭素を吸収、回収してそのうえで再資源化をはかる。
【課題を解決するための手段】
【０００４】  二酸化炭素を吸収する物質としてアンモニア水を使用する。
その後、ろ過工程を入れることにより溶解性塩類と炭酸アンモニウムの結晶を分離する。炭酸アンモニウムから尿素を取り出すため温度を上げる。
【課題を解決するための手段】
【０００５】  排ガス煙道入口からダストおよび不純物質を除くため水吸着塔を通った後、ガスを吸収塔に導く。吸収塔の下部よりガスを入れ、前もって冷却されてある吸収液を、循環ポンプを使用して上部より流し接触させる。
その際、吸収液は霧状になるように霧吹き装置を通すことによりガスとの反応を促進するものとする。
反応後の吸収液は、ろ過装置を通して炭酸アンモニウムの結晶を分離する。炭酸アンモニウムから尿素を取り出すため温度を上げる。
【発明の効果】
【０００６】  二酸化炭素の排出量は年々増加しており、今後も増加傾向が見込まれている。
その中でこの二酸化炭素除去方法が排ガス中の二酸化炭素除去を目指しており、回収された尿素は肥料、医薬品、化粧品等の材料として使用されることが見込まれる。
【実施例１】
【０００７】  図１は、本発明装置の１つの例である。
【図面の簡単な説明】
【０００８】
【図１】本特許の実施方法を示した説明図
【符号の説明】
【０００９】１  水吸着塔及び炭酸ガス吸収塔
排ガスは水でシャワーできる水吸着塔を通って、上部にガス導入口があり、循環ポンプ２から吸収塔上部へ吸収液を送る途中に冷却装置を備えてあるもの、
その後霧吹き装置により霧状の状態で吸収液は吸収塔に入るものとする
２  ろ過槽
吸収塔下部の循環ポンプ１からろ過槽に吸収液を戻すことができるもの
３  反応槽
炭酸アンモニウムから尿素にするために温度を上げる装置を備えてあるもの
４  アンモニア水槽
吸収塔へアンモニア水を送るポンプとｐＨ計を備えたもの
【図１】
2009160565.tif 000003